(57)【要約】  ヘッド部（４）の高さ幅（Ｄ１）は、ヘッド部（４）の前後幅（Ｄ２）よりも小さい。ヘッド部（４）内には、駆動源としてのリニアアクチュエータ（１２）が設けられている。内刃（１３）は、アクチュエータ主要部から突出する駆動連結部に連結されている。アクチュエータ主要部の高さ幅は、アクチュエータ主要部の前後幅よりも小さい。
2011037110.tif 000002
【特許請求の範囲】
【請求項１】
電源を内蔵する本体部と、前記本体部に支持され、かつ前記本体部に対して前後左右の少なくとも一方にスイングするヘッド部とを備え、前記ヘッド部の上端には、複数の外刃が、前後方向に整列し、かつ互いに平行に配置され、前記外刃は、体毛を導入可能に形成され、前記複数の外刃のそれぞれの内側には、駆動源により駆動する内刃が設けられている電気かみそりであって、
前記ヘッド部の高さ幅は、前記ヘッド部の前後幅よりも小さく、
前記駆動源は、前記ヘッド部内に設けられたリニアアクチュエータからなり、
前記リニアアクチュエータは、アクチュエータ主要部と、前記アクチュエータ主要部から突出すると共に前記内刃に連結された駆動連結部とからなり、
前記アクチュエータ主要部の高さ幅は、前記アクチュエータ主要部の前後幅よりも小さいことを特徴とする電気かみそり。
【請求項２】
請求項１記載の電気かみそりにおいて、
前記アクチュエータ主要部は、可動子と、複数のコイルを有する固定子とを備え、
前記複数のコイルのそれぞれは、前記アクチュエータ主要部の高さ方向と直交する方向に整列し、かつ互いに平行に配置されていることを特徴とする電気かみそり。
【請求項３】
請求項２記載の電気かみそりにおいて、
前記複数のコイルのそれぞれは、前記アクチュエータ主要部の前後方向に整列し、かつ互いに平行に配置されていることを特徴とする電気かみそり。
【請求項４】
請求項２又は３記載の電気かみそりにおいて、
前記複数のコイルのそれぞれは、その軸線を前記アクチュエータ主要部の高さ方向と直交する方向に向けて構成され、前記可動子は、前記アクチュエータ主要部の高さ方向と直交する方向で前記コイルと対向していることを特徴とする電気かみそり。
【発明の詳細な説明】
【技術分野】
【０００１】
本発明は、髭等の体毛を剃るための電気かみそりに関する。
【背景技術】
【０００２】
電気かみそりは、電源を内蔵する本体部と、本体部に支持されたヘッド部とを備えている。ヘッド部の上端には、複数の外刃が設けられている。外刃は、体毛を導入可能に形成されている。各外刃は、前後方向に整列し、かつ互いに平行に配置されている。外刃の内側には、内刃が設けられている。内刃は、駆動源により駆動される。特許文献１は、本体部に対してヘッド部が前後左右の少なくとも一方にスイングする電気かみそりを開示する。一般的に、ヘッド部のスイング軸は、ヘッド部の上端の外刃付近に設けられている。この構成によれば、ユーザが本体部を把持して外刃を肌に押し当てたとき、ヘッド部がスイングして外刃が肌に追従する。これにより、剃り性能が向上する。
【先行技術文献】
【特許文献】
【０００３】
【特許文献１】特開２００８−１４２２７４号公報
【発明の概要】
【発明が解決しようとする課題】
【０００４】
上記の電気かみそりには、肌に対するヘッド部の追従性の更なる向上が望まれている。
本発明の目的は、肌に対するヘッド部の追従性が向上する電気かみそりを提供することにある。
【課題を解決するための手段】
【０００５】
上記課題を解決するため、本発明の第一の態様によれば、電源を内蔵する本体部と、本体部に支持され、かつ本体部に対して前後左右の少なくとも一方にスイングするヘッド部とを備え、ヘッド部の上端には、複数の外刃が、前後方向に整列し、かつ互いに平行に配置され、外刃は、体毛を導入可能に形成され、複数の外刃のそれぞれの内側には、駆動源により駆動する内刃が設けられている電気かみそりが提供される。【０００６】
ヘッド部の高さ幅は、ヘッド部の前後幅よりも小さく、駆動源は、ヘッド部内に設けられたリニアアクチュエータからなり、リニアアクチュエータは、アクチュエータ主要部と、アクチュエータ主要部から突出すると共に内刃に連結された駆動連結部とからなり、アクチュエータ主要部の高さ幅は、アクチュエータ主要部の前後幅よりも小さい。【０００７】
この発明によれば、ヘッド部では、高さ幅が前後幅よりも小さい。ヘッド部の高さ幅と前後幅の比は、ヘッド部の重心の高さ方向の位置と相関関係を有している。つまり、ヘッド部の高さ幅を前後幅よりも小さくすれば、ヘッド部の重心位置を、ヘッド部の上端付近に設定することができる。ここで、スイング軸の位置は、外刃が設けられるヘッド部の上端付近に設定されている。このため、ヘッド部の高さ幅を前後幅よりも小さくすることで、ヘッド部の重心位置を、ヘッド部のスイング軸付近に設定することができる。その結果、肌に対するヘッド部の追従性が向上する。また、内刃を駆動するリニアアクチュエータのアクチュエータ主要部でも、高さ幅が前後幅よりも小さくなっている。このため、リニアアクチュエータを内蔵するヘッド部の高さ幅を前後幅よりも小さくすることが容易に行える。従って、肌に対するヘッド部の追従性の更に向上する。【０００８】
上記の電気かみそりにおいて、アクチュエータ主要部は、可動子と、複数のコイルを有する固定子とを備え、複数のコイルのそれぞれは、アクチュエータ主要部の高さ方向と直交する方向に整列し、かつ互いに平行に配置されていることが好ましい。【０００９】
この発明によれば、リニアアクチュエータの駆動力の低下を抑えつつも、アクチュエータ主要部を高さ方向で小型化することができる。
上記の電気かみそりにおいて、複数のコイルのそれぞれは、アクチュエータ主要部の前後方向に整列し、かつ互いに平行に配置されていることが好ましい。【００１０】
この発明では、アクチュエータ主要部の高さ幅を前後幅よりも小さくすることが容易に行える。
上記の電気かみそりにおいて、複数のコイルのそれぞれは、その軸線をアクチュエータ主要部の高さ方向と直交する方向に向けて構成され、可動子は、アクチュエータ主要部の高さ方向と直交する方向でコイルと対向していることが好ましい。【００１１】
この発明では、アクチュエータ主要部の可動子が、高さ方向と直交する方向でコイルと対向している。このため、アクチュエータ主要部を高さ方向でより小型化することができる。
【図面の簡単な説明】
【００１２】
【図１】本発明の第１実施形態による電気かみそりの模式側面図。
【図２】リニアアクチュエータの正面図。
【図３】リニアアクチュエータの平面図。
【図４】リニアアクチュエータの側面図。
【図５】本発明の第２実施形態による電気かみそりの模式側面図。
【図６】リニアアクチュエータの正面図。
【図７】リニアアクチュエータの平面図。
【発明を実施するための形態】
【００１３】
（第１実施形態）
以下、本発明の電気かみそりを３枚刃の電気かみそりに具体化した第１実施形態について図１〜図４を参照して説明する。
【００１４】
図１に示すように、電気かみそり１は、電源２を内蔵する本体部３と、本体部３の上端に設けられたヘッド部４とを備えている。本体部３の上端には、ヘッド部４を支持する支持部３ａが設けられている。ヘッド部４は、支持部３ａにおいて、支軸Ｓを中心として前後方向Ｘにスイングする。ヘッド部４の上端には、金属薄板からなる３枚の外刃１１が設けられている。各外刃１１は、前後方向Ｘに整列し、互いに平行に配置されている。外刃１１には、体毛が入る複数の孔（図示略）が形成されている。各外刃１１は、図示しない樹脂支持枠に固定されている。各外刃１１は、樹脂支持枠と共に外刃ブロックを構成する。ヘッド部４のスイング軸（支軸Ｓ）は、外刃１１に近接して配置されている。即ち、ヘッド部４のスイング軸は、ヘッド部４のハウジングの上端に近接して配置されている。外刃１１の内側には、内刃１３が設けられている。内刃１３は、左右方向Ｙ、即ち、図１の紙面と直交する方向に往復移動する。ヘッド部４には、リニアアクチュエータ１２が内蔵されている。内刃１３は、リニアアクチュエータ１２により往復移動する。なお、前後方向Ｘ、左右方向Ｙ、及び高さ方向Ｚは、それぞれ互いに直交する方向である。
【００１５】
リニアアクチュエータ１２は、電源２と電気的に接続されている。リニアアクチュエータ１２は、本体部３に設けられた操作スイッチ（図示略）の操作に基づき駆動される。髭等の体毛は、外刃１１の孔に入ると、外刃１１と、往復駆動される内刃１３との間に挟まれて、切除される。また、ユーザが本体部３を把持してヘッド部４の外刃１１を肌に押し当てると、ヘッド部４が前後方向Ｘにスイングして、外刃１１が肌に追従する。
【００１６】
［リニアアクチュエータの構成］
図２〜図４に示すように、リニアアクチュエータ１２は、アクチュエータ主要部２１と、２つの駆動連結部２２とを備えている。両駆動連結部２２は、アクチュエータ主要部２１から上方に突出している。
【００１７】
図３に示すように、高さ方向Ｚから見てアクチュエータ主要部２１の中央には、鉄心２３と一対のコイル２４，２５とからなる固定子２６が設けられている。鉄心２３は、一対の第１固定子側支持部２７ａ及び一対の第２固定子側支持部２７ｂにより左右方向Ｙから挟持されている。尚、第１固定子側支持部２７ａ及び第２固定子側支持部２７ｂは、前後方向Ｘに整列し、互いに並行に配置されている。鉄心２３は、左右方向Ｙに延びる基部２３ａと、基部２３ａの中央から前方及び後方のそれぞれに延びるティース部２３ｂと、基部２３ａの両端から前方及び後方のそれぞれに延びる延出部２３ｃとを有している。各ティース部２３ｂには、コイル２４，２５がそれぞれ巻回されている。各コイル２４，２５は、その軸線を前後方向Ｘに向けて構成されている。各コイル２４，２５は、一対の延出部２３ｃ間に配置されている。各コイル２４，２５は、図示しない接続端子により電源２と電気的に接続されている。これにより、電源２から各コイル２４，２５に電力が供給される。
【００１８】
固定子２６の前端及び後端の一方の付近には可動子３１が設けられ、他方の付近には可動子３２が設けられている。可動子３１は、第１可動子側支持部３３ａに支持されたヨーク３４と、ヨーク３４に固定された磁石３５とからなる。可動子３１の磁石３５は、コイル２４と対向している。可動子３２は、第２可動子側支持部３３ｂに支持されたヨーク３４と、ヨーク３４に固定された磁石３５とからなる。可動子３２の磁石３５は、コイル２５と対向している。可動子３１は、コイル２４への給電により生じる磁界の作用によって、第１可動子側支持部３３ａと共に左右方向Ｙに往復振動する。可動子３２は、コイル２５への給電により生じる磁界の作用によって、第２可動子側支持部３３ｂと共に左右方向Ｙに往復振動する。
【００１９】
第１固定子側支持部２７ａ及び第１可動子側支持部３３ａの左右方向Ｙの両端は、吊りばね４１によりそれぞれ連結されている。また、第２固定子側支持部２７ｂ及び第２可動子側支持部３３ｂの左右方向Ｙの両端も、吊りばね４２によりそれぞれ連結されている。アクチュエータ主要部２１の左右方向Ｙの両端には、リニア連結ばね４３がそれぞれ設けられている。第１及び第２可動子側支持部３３ａ，３３ｂは、リニア連結ばね４３により互いに連結されている。リニア連結ばね４３は、第１及び第２可動子側支持部３３ａ，３３ｂの左右方向Ｙへの往復振動を許容する。
【００２０】
一対の可動子３１，３２のそれぞれは、駆動連結部２２に連結され、かつ駆動連結部２２と一体に移動する。駆動連結部２２は、内刃１３に連結されている。このため、コイル２４，２５への給電が行われると、可動子３１，３２の駆動が開始される。そして、可動子３１，３２の駆動力が駆動連結部２２を介して内刃１３に伝達されると、内刃１３は往復振動する。
【００２１】
図１に示すように、電気かみそり１のヘッド部４は、高さ幅Ｄ１と前後幅Ｄ２とを有している。高さ幅Ｄ１は、前後幅Ｄ２よりも小さい。高さ幅Ｄ１及び前後幅Ｄ２の比は、ヘッド部４の重心Ｇの高さ位置と相関関係を有している。つまり、ヘッド部４の高さ幅Ｄ１を前後幅Ｄ２よりも小さくすれば、ヘッド部４の重心Ｇの位置が高くなる。即ち、電気かみそり１では、ヘッド部４の高さ幅Ｄ１が前後幅Ｄ２よりも小さいため、ヘッド部４の重心Ｇの位置を、ヘッド部４の上端、即ちスイング軸（支軸Ｓ）付近に設定することができる。その結果、ヘッド部４の肌への追従性が向上する。尚、ヘッド部４の高さ幅Ｄ１は、ヘッド部４の下端４ａから外刃１１の上端までの高さ幅である。
【００２２】
図４に示すように、アクチュエータ主要部２１の高さ幅Ｄ３が、アクチュエータ主要部２１の前後幅Ｄ４よりも小さくなっている。これにより、ヘッド部４の高さ幅Ｄ１を前後幅Ｄ２よりも小さくすることが容易に行える。従って、ヘッド部４の肌への追従性が更に向上する。尚、アクチュエータ主要部２１には、各コイル２４，２５の接続端子は含まない。
【００２３】
第１実施形態によれば、以下のような効果を得ることができる。
（１）ヘッド部４では、高さ幅Ｄ１が前後幅Ｄ２よりも小さい。このため、ヘッド部４の重心Ｇの位置を、ヘッド部４の上端付近に設定することができる。ここで、ヘッド部４では、スイング軸（支軸Ｓ）の位置が、外刃１１が設けられるヘッド部４の上端付近に設定されている。このため、ヘッド部４の高さ幅Ｄ１を前後幅Ｄ２よりも小さくすることで、ヘッド部４の重心Ｇの位置を、ヘッド部４のスイング軸付近に設定することができる。その結果、肌に対するヘッド部４の追従性が向上する。また、内刃１３を駆動するリニアアクチュエータ１２のアクチュエータ主要部２１でも、高さ幅Ｄ３が前後幅Ｄ４よりも小さくなっている。このため、リニアアクチュエータ１２を内蔵するヘッド部４の高さ幅Ｄ１を前後幅Ｄ２よりも小さくすることが容易に行える。従って、肌に対するヘッド部４の追従性が更に向上する。
【００２４】
（２）アクチュエータ主要部２１の固定子２６は、高さ方向Ｚと直交する方向に整列し、かつ互いに平行である一対のコイル２４，２５を有している。このため、リニアアクチュエータ１２の駆動力の低下を抑えつつも、アクチュエータ主要部２１を高さ方向Ｚで小型化することができる。
【００２５】
（３）コイル２４，２５は、前後方向Ｘに整列し、かつ互いに平行に配置されている。このため、アクチュエータ主要部２１の高さ幅Ｄ３を前後幅Ｄ４よりも小さくすることが容易に行える。
【００２６】
（４）各コイル２４，２５は、その軸線を前後方向Ｘに向けて構成されている。また、アクチュエータ主要部２１の可動子３１，３２は、前後方向Ｘで対応するコイル２４，２５と対向している。このため、アクチュエータ主要部２１を高さ方向Ｚでより小型化することができる。
【００２７】
（第２実施形態）
以下、本発明の電気かみそりを５枚刃の電気かみそりに具体化した第２実施形態について図５〜図７を参照して説明する。なお、第２実施形態における第１実施形態と同様の部分についてはその詳細な説明を省略する。
【００２８】
図５に示すように、電気かみそり５１は、電源５２を内蔵する本体部５３と、本体部５３の上端に設けられたヘッド部５４とを備えている。ヘッド部５４は、本体部５３に対して、支軸Ｓを中心に前後方向Ｘにスイングする。ヘッド部５４の上端には、５枚の外刃６１が設けられている。各外刃６１は、前後方向Ｘに整列し、互いに平行に配置されている。外刃６１の内側には、内刃６３が設けられている。内刃６３は、ヘッド部５４内のリニアアクチュエータ６２により往復移動する。
【００２９】
図６及び図７に示すように、アクチュエータ主要部７１の中央には、鉄心７３と、鉄心７３のティース部に巻回されるコイル７４とが設けられている。コイル７４は、その軸線を高さ方向Ｚに向けて構成されている。また、アクチュエータ主要部７１の中央においてコイル７４の上端面と対向する位置には、可動子を構成する平板状の一対の磁石８５が設けられている。磁石８５は、厚み方向をコイル７４の軸線方向に向けて配置されている。つまり、磁石８５は、その表面をコイル７４の軸線に直交させるようにして配置されている。コイル７４への給電が行われると、可動子の駆動が開始されて、駆動連結部７２と共に内刃６３が往復振動する。
【００３０】
図５に示すように、電気かみそり５１のヘッド部５４では、高さ幅Ｄ１が前後幅Ｄ２よりも小さくなっている。高さ幅Ｄ１及び前後幅Ｄ２の比は、ヘッド部５４の重心Ｇの高さ位置と相関関係を有している。この場合も、ヘッド部５４の重心Ｇの位置を、ヘッド部５４の上端、即ちスイング軸（支軸Ｓ）付近に設定することができる。また、図６及び図７に示すように、アクチュエータ主要部７１の高さ幅Ｄ３が、アクチュエータ主要部７１の前後幅Ｄ４よりも小さくなっている。これにより、ヘッド部５４の高さ幅Ｄ１を前後幅Ｄ２よりも小さくすることが容易に行える。
【００３１】
第２実施形態によれば、以下のような効果を得ることができる。
（５）ヘッド部５４の高さ幅Ｄ１を前後幅Ｄ２よりも小さくすることで、ヘッド部５４の重心Ｇの位置を、ヘッド部５４の上端付近に設定することができる。これにより、肌に対するヘッド部５４の追従性が向上する。また、アクチュエータ主要部７１の高さ幅Ｄ３を前後幅Ｄ４よりも小さくすることで、ヘッド部５４の高さ幅Ｄ１を前後幅Ｄ２よりも小さくすることが容易に行える。これにより、肌に対するヘッド部５４の追従性が更に向上する。よって、本発明によれば、５枚刃の電気かみそり５１であっても、３枚刃の電気かみそり１のときの同等の作用効果を奏することができる。
【００３２】
（６）第２実施形態においては、コイル７４が、その軸線を高さ方向Ｚに向けて構成されている。また、平板状の磁石８５は、その表面をコイル７４の軸線に直交させるようにして配置されている。この場合、磁石８５の前後方向Ｘの幅を大きく設定することにより、リニアアクチュエータ６２の駆動力の低下を抑えつつも、アクチュエータ主要部７１を高さ方向Ｚで小型化することができる。また、可動子は一対の磁石８５を備えているため、磁石を一つだけ備えた可動子と比べて、重量バランスや推進バランス等を良くすることができる。
【００３３】
・第１実施形態において、各コイル２４，２５は、前後方向Ｘに整列し、かつ互いに平行であったが、左右方向Ｙに整列し、かつ互いに平行であってもよい。
・第１実施形態において、アクチュエータ主要部２１の可動子３１，３２は、前後方向Ｘでコイル２４，２５とそれぞれ対向していたが、左右方向Ｙでコイル２４，２５とそれぞれ対向していてもよい。
【００３４】
・上記各実施形態において、ヘッド部４，５４は、前後方向Ｘにスイング可能であったが、左右方向Ｙにスイングしてもよく、前後方向Ｘ及び左右方向Ｙの両方にスイングしてもよい。
【００３５】
・本発明は、３枚刃や５枚刃以外の電気かみそりに適用してもよい。
・上記各実施形態において、内刃１３、６３は、回転刃やロータリー刃であってもよい。
【００３６】
・第２実施形態において、一対の磁石８５を備えた可動子に代えて、磁石を一つだけ備えた可動子を用いてもよい。
【図１】
2011037110.tif 000003
【図２】
2011037110.tif 000004
【図３】
2011037110.tif 000005
【図４】
2011037110.tif 000006
【図５】
2011037110.tif 000007
【図６】
2011037110.tif 000008
【図７】
2011037110.tif 000009
【国際調査報告】
2011037110.tif 000010
2011037110.tif 000011
2011037110.tif 000012
2011037110.tif 000013